(57)【要約】  持ち易く、ヘアカット作業を安全且つ効率的に行うことができる理美容レザーを提供する。  頭髪をカットするレザー（２）と、レザー（２）を刃先が露出した状態で挟持している挟着部材（４）と、レザー（２）の一端近傍に接続された把手部材（５）と、を有し、把手部材（５）は、断面円形状で延在し、その一端面がレザー（２）に接続されており、レザー（２）が接続された端部側に径が大きい大径部（６）を有し、レザー（２）が接続されていない端部（１０）側に径が小さい小径部（８）を有する。これにより、理美容レザー（１）は大変持ち易いものとなる。美容師等の作業者は、指と掌で把手部材（５）をつかんで理美容レザー（１）を安全に支え、ヘアカット作業を容易に行うことができる。
2020054468.tif 000002
【特許請求の範囲】
【請求項１】
頭髪をカットするレザーと、
前記レザーを刃先が露出した状態で挟持している挟着部材と、
前記レザーの一端近傍に接続された把手部材と、を有し、
前記把手部材は、断面円形状で延在し、その一端面が前記レザーに接続されていることを特徴とする理美容レザー。
【請求項２】
前記把手部材は、前記レザーが接続された端部側に径が大きい大径部を有し、前記レザーが接続されていない端部側に前記大径部よりも径が小さい小径部を有することを特徴とする請求項１に記載の理美容レザー。
【請求項３】
前記把手部材は、前記大径部と前記小径部の間に、前記大径部よりも径が小さく前記小径部よりも径が大きい中径部を有することを特徴とする請求項２に記載の理美容レザー。
【請求項４】
前記大径部と前記中径部の間及び前記中径部と前記小径部の間の少なくとも一方には、前記把手部材の外周面が段差状になった環状の段差部が形成されていることを特徴とする請求項３に記載の理美容レザー。
【請求項５】
前記小径部は、端部側が半径方向前記レザーの刃先方向に曲折されていることを特徴とする請求項２から請求項４の何れか１項に記載の理美容レザー。
【請求項６】
前記把手部材は、半径方向に弾性変形自在な弾性部と、前記弾性部の外周面を覆い前記把手部材の外周面を形成している表面部と、を有することを特徴とする請求項１から請求項５の何れか１項に記載の理美容レザー。
【請求項７】
前記挟着部材の外面に貼付されたシート状の滑止部材を有することを特徴とする請求項１から請求項６の何れか１項に記載の理美容レザー。
【請求項８】
前記把手部材には、カットする頭髪の位置を検出する位置検出手段が設けられていることを特徴とする請求項１から請求項７の何れか１項に記載の理美容レザー。
【請求項９】
前記位置検出手段は、カットする頭髪の位置を撮影するカメラであることを特徴とする請求項８に記載の理美容レザー。
【請求項１０】
前記把手部材には、カットする頭髪の長さを検出する距離センサが設けられていることを特徴とする請求項１から請求項９の何れか１項に記載の理美容レザー。
【発明の詳細な説明】
【技術分野】
【０００１】
本発明は、美容室等におけるヘアカットに利用される理美容レザーに関する。
【背景技術】
【０００２】
従来の理美容レザー（かみそり）として、例えば、特許文献１に開示された軽便かみそりが知られている。同文献の軽便かみそりは、柄杆の先方にある平面部で刃板を挟持した一点支持の軽便かみそりである。柄杆の先方と平面部の外周面に合致する形状で設けられた金属製の外カバーを有し、外カバーの平面部には柄杆の平面部よりも若干延長して尖端が内方に湾曲した挟持部が形成されている。その挟持部は、刃板の尖端に近接した部分を両側より挟圧している。即ち、刃板は、柄杆の先方にある平面部と外カバーの挟持部との２点で支持されている。ヘアカットの際には、美容師等の作業者は、柄杆をつかんで刃先を髪に押し当てるように使用することになる。【０００３】
また、他の従来技術の例として、特許文献２には、連結部と、把手と、刃と、刃保護体と、を有する調髪用レザーが開示されている。調髪用レザーの連結部は、前端から後端まで長手方向に延在し、前端側の下面には開口部が形成されている。刃は、連結部の開口部内に挿入され支持されている。連結部の前端側の上面には、刃保護体が設けられている。把手は、前端から反対側の後端まで長手方向に延びている。把手の前端には開口部が形成されており、その開口部に連結部の後端部が挿入され固定されている。【０００４】
また、同文献に開示された調髪用レザーでは、把手の後端に作業者が一本の指を挿入することが可能なリング状開口部が形成されている。また、把手の後端には、リング状開口部から把手の遠位端まで延びるテーパ状ひれ部が形成されている。リング状開口部やテーパ状ひれ部が形成されていることにより、調髪用レザーの保持性及び操作性が向上するとされている。
【先行技術文献】
【特許文献】
【０００５】
【特許文献１】実開昭５４−５８４９２号公報
【特許文献２】特開２００１−１７０３７６号公報
【発明の概要】
【発明が解決しようとする課題】
【０００６】
しかしながら、上記の特許文献１及び特許文献２に開示された従来技術の理美容レザーは、美容室等で美容術を施す美容師等が安全且つ効率的にヘアカット作業を行うために改善すべき点があった。【０００７】
具体的には、上記した従来技術の理美容レザーのように、左右両面に平面部が形成された略板状または略角棒状の把手部材では、ヘアカットを行う美容師等が把手部材を握り難いと感じることがあった。【０００８】
即ち、カットする毛髪の位置や得ようとするカッティング形状に応じて理美容レザーの位置や刃先の向きを変えることが難しく、また、刃先に加える力を好適に調整することが困難なこともあった。【０００９】
そして、硬い金属や樹脂材料から形成された略板状または略角棒状の把手部材を有する理美容レザーでは、ヘアカット作業を長時間続けると、把持する指や手首が痛くなるという問題点もあった。【００１０】
また、それぞれのお客様に適した好適な施術を繰り返し行うためには、施術内容を正確に把握して記録することが求められている。しかしながら、従来技術の理美容レザーによれば、頭髪の位置や長さを検出することはできず、そのデータを記録することもできなかった。施術情報の把握は美容師等の作業者の感覚に頼ることになっていたが、頭髪の状態を正確に把握することは容易ではなかった。また、施術情報の記録も容易ではなかった。【００１１】
本発明は、上記の事情に鑑みてなされたものであり、その目的とするところは、持ち易く、ヘアカット作業を安全、正確且つ効率的に行うことができる理美容レザーを提供することにある。
【課題を解決するための手段】
【００１２】
本発明の理美容レザーは、頭髪をカットするレザーと、前記レザーを刃先が露出した状態で挟持している挟着部材と、前記レザーの一端近傍に接続された把手部材と、を有し、前記把手部材は、断面円形状で延在し、その一端面が前記レザーに接続されていることを特徴とする。
【発明の効果】
【００１３】
本発明の理美容レザーによれば、レザーの一端近傍に接続された把手部材は、断面円形状で略円柱状または略円錐台状に延在し、その一端面がレザーに接続されている。これにより、理美容レザーは大変持ち易いものとなる。美容師等の作業者は、指と掌で把手部材をつかんで理美容レザーを安全に支え、ヘアカット作業を容易に行うことができる。【００１４】
具体的には、把手部材は断面円形状であるので、作業者は、把手部材を回転させて握り位置を安全且つ容易に変更することができる。よって、作業者は、レザーの刃先を頭髪に対して好適な角度で当てることができる。そして、作業者は、レザーの刃先を好適な強さで押し付けて毛髪をカットすることができる。【００１５】
また、本発明の理美容レザーによれば、把手部材は、レザーが接続された端部側に径が大きい大径部を有し、レザーが接続されていない端部側に前記大径部よりも径が小さい小径部を有しても良い。このような構成により、レザー側の大径部を親指と人差指または親指と中指でつかみ易く、端部側の小径部を小指や掌で押さえ易くなる。【００１６】
また、本発明の理美容レザーによれば、把手部材は、大径部と小径部の間に、大径部よりも径が小さく小径部よりも径が大きい中径部を有しても良い。このように、大径部、中径部及び小径部の３つの把持部が形成されることにより、把手部材を持ち易くできる。例えば、カットする頭髪の位置や刃先の角度に応じて、人差指と親指で大径部を握り、中指と掌の間を中径部に、薬指と掌の間及び小指と掌の間を必要に応じて小径部等に利用して理美容レザーを好適に把持することができる。また、大径部、中径部及び小径部を支える指を適宜変更して好適な指示方法にすることができる。【００１７】
また、本発明の理美容レザーによれば、大径部と中径部の間及び中径部と小径部の間の少なくとも一方には、把手部材の外周面が段差状になった環状の段差部が形成されても良い。このように段差部が形成されることにより、把手部材の滑りを防止して、カット作業中に理美容レザーが刃先の延在方向にずれてしまうことを防止することができる。即ち、安全で持ち易い把手部材になる。【００１８】
また、本発明の理美容レザーによれば、小径部は、端部側が半径方向前記レザーの刃先方向に曲折されていても良い。これにより、把手部材を持ち易く、把持する手から外れ難いものとして、理美容レザーの安全性を高めることができる。【００１９】
また、本発明の理美容レザーによれば、把手部材は、半径方向に弾性変形自在な弾性部と、弾性部の外周面を覆い把手部材の外周面を形成している表面部と、を有しても良い。これにより、把手部材は、更に持ち易いものとなり、安全性を確保しつつ、把手部材を把持する作業者の疲労を軽減することができる。【００２０】
また、本発明の理美容レザーによれば、挟着部材の外面に貼付されたシート状の滑止部材を有しても良い。これにより、挟着部材を親指と人差指または中指とで把持することが可能となり、ヘアカット作業が容易になる。また、理美容レザーの滑りを防止して、安全で疲れの少ないヘアカット作業を行うことができる。【００２１】
また、本発明の理美容レザーによれば、把手部材には、カットする頭髪の位置を検出する位置検出手段が設けられていても良い。カットする頭髪の位置を位置検出手段で検出することにより、作業者は、頭髪の位置に応じて好適なカットを行うことができる。また、位置検出手段で検出した位置情報を記録することができるので、その位置情報の記録を利用して、それぞれのお客様に適した好適な施術を正確かつ高効率に行うことができる。【００２２】
また、本発明の理美容レザーによれば、位置検出手段は、カットする頭髪の位置を撮影するカメラであっても良い。これにより、作業者は、カットする頭髪周辺の情報をカメラの映像から正確に把握することができ、好適なカット作業を行うことができる。また、カメラによる画像情報を記録することも可能であるので、その記録された画像情報を利用して、それぞれのお客様に適した好適な施術を行うことができる。【００２３】
また、本発明の理美容レザーによれば、把手部材には、カットする頭髪の長さを検出する距離センサが設けられていても良い。これにより、距離センサでカットする頭髪の長さを正確に検出することができるので、正確な理美容施術が可能となる。また、カットする頭髪の長さ情報を記録することができるので、その記録を利用して、それぞれのお客様に適した好適なカットを正確に再現することができる。
【図面の簡単な説明】
【００２４】
【図１】図１は、本発明の実施形態に係る理美容レザーの概略構成を示す側面図である。
【図２】図２は、本発明の実施形態に係る理美容レザーの概略構成を示す正面図である。
【図３】図３は、本発明の実施形態に係る理美容レザーの概略構成を示す底面図である。
【図４】図４は、本発明の実施形態に係る理美容レザーの把手部材を分割した状態を示す側面図である。
【図５】図５は、本発明の実施形態に係る理美容レザーの把手部材を延長した状態を示す側面図である。
【図６】図６は、本発明の実施形態に係る理美容レザーの延長用の大径部を示す側面図である。
【図７】図７は、本発明の実施形態に係る理美容レザーの把手部材を曲折した状態を示す側面図である。
【図８】図８は、本発明の実施形態に係る理美容レザーの他の例の概略構成を示す側面図である。
【発明を実施するための形態】
【００２５】
以下、本発明の実施形態に係る理美容レザーを図面に基づき詳細に説明する。
図１は、本発明の実施形態に係る理美容レザー１の概略構成を示す側面図である。なお、以下の説明では、適宜、図１における表示方向を基準として、図１における左側を「前」、右側を「後」、と称する。また、説明で適宜用いる「上」及び「下」とは、図１における表示方向を基準とする方向であり、「左」及び「右」とは、図２における表示方向を基準とする方向である。
【００２６】
理美容レザー１は、例えば、美容室等において、毛髪をカットするために用いられるものである。図１に示すように、理美容レザー１は、頭髪をカットするレザー２と、レザー２を挟持する挟着部材４と、レザー２を支持する把手部材５と、を有する。
【００２７】
図２は、理美容レザー１の概略構成を示す正面図であり、理美容レザー１を前方から見た状態を示している。図１及び図２を参照して、レザー２は、略長方形板状に形成された剃刀であり、その長辺の一方には、頭髪に接触して頭髪をカットする鋭利な刃先３が形成されている。
【００２８】
挟着部材４は、刃先３を露出させた状態でレザー２の上部長辺側を支持する部材である。具体的には、挟着部材４はレザー２の上部長辺側が差し込まれて挟持される挟持部を有し、その挟持部にレザー２の上部長辺側が挿入されて、レザー２は左右の面から挟着部材４に挟持される。
【００２９】
なお、図示を省略するが、挟着部材４は、金属板材料から曲折形成されレザー２が挿入されて挟持される挟持板と、その挟持板の曲折された上部長辺近傍に取り付けられてレザー２及び挟持板を支持する上支持材と、を有しても良い。
【００３０】
レザー２が挿入される挟着部材４の下部は、レザー２の刃先３近傍が露出する面積が前後の延在方向に異なるように凸形状部や凹形状部が形成されていても良い。これにより、レザー２のカット性能及び安全性を高めることができる。
【００３１】
レザー２及び挟着部材４の延在方向の一端部近傍、具体的には後端部の近傍には、理美容レザー１を把持するための把手部材５が接続されている。
【００３２】
図２に示すように、把手部材５の外形は、前方から見て略円形状である。即ち、図１及び図２を参照して、把手部材５は、断面略円形状で略円柱状または略円錐台状に延在し、その一端面、具体的には前方面が、挟着部材４を介してレザー２に接続されている。
【００３３】
把手部材５は、断面略円形状であるので、美容師等の作業者は、把手部材５を回転させて握り位置を変更することができる。よって、レザー２の刃先３を、頭髪に対して好適な角度で当てることができ、好適な強さで毛髪に押し付けてカットすることができる。
【００３４】
把手部材５は、レザー２が接続された前端部側に径が大きい大径部６を有し、レザー２が接続されていない後端部１０側に径が小さい小径部８を有する。これにより、理美容レザー１は大変持ち易いものとなる。作業者は、指と掌で把手部材５をつかんで理美容レザー１を安全に支えて、カット作業を容易に行うことができる。
【００３５】
具体的には、把手部材５は、レザー２側に断面略円形状で径の大きい大径部６があり、レザー２が接続されていない後端部１０側に断面略円形状で径の小さい小径部８があるので、レザー２側の大径部６を親指と人差指若しくは中指とでつかみ易い。そして、把手部材５の後端部１０側は、小径部８が形成されていることにより、小指や掌で押さえ易くなる。また、小径部８がある後端側を親指と掌で挟み、レザー２側を手首側にして把手部材５を押さえる逆持ちも可能である。
【００３６】
図１を参照して、把手部材５は、大径部６と小径部８の間に、大径部６よりも径が小さく小径部８よりも径が大きい中径部７を有しても良い。大径部６、中径部７及び小径部８の３つの把持部が形成されることにより、把手部材５は更に持ち易いものとなる。
【００３７】
例えば、カットする頭髪の位置や刃先３の角度に応じて、人差指または中指と親指とで大径部６を握り、中指または薬指と掌との間を中径部７に、薬指と掌の間及び小指と掌の間を必要に応じて小径部８等に利用して、理美容レザー１を好適に把持することができる。また、大径部６、中径部７及び小径部８を支える指を適宜変更して好適な支持方法にすることができる。
【００３８】
大径部６と中径部７の間には、把手部材５の外周面が段差状になった環状の段差部１２が形成されている。また、中径部７と小径部８の間には、把手部材５の外周面が段差状になった環状の段差部１３が形成されている。
【００３９】
このように段差部１２、１３が形成されることにより、把手部材５の滑りを防止して、カット作業中に理美容レザー１が刃先３の延在方向にずれてしまうことを防止することができる。即ち、把手部材５の滑りが抑えられ、安全で持ち易い理美容レザー１になる。
【００４０】
小径部８の後端部１０には、略半球状の端部形状を形成する金属製または合成樹脂製の球体部材またはキャップ等が取り付けられていても良い。小径部８の後端部１０が略半球状に形成されることにより、把手部材５の後端部１０と掌との押圧状態が良好になり、把手部材５が持ち易くなる。
【００４１】
また、把手部材５は、半径方向に弾性変形自在な図示しない弾性部と、弾性部の外周面を覆い把手部材５の外周面を形成している表面部と、を有する。これにより、把手部材５は、更に持ち易いものとなり、安全性を確保しつつ、把手部材５を把持する作業者の疲労を軽減することができる。
【００４２】
弾性部は、例えば、略スポンジ状に形成された弾性変形可能な合成樹脂製の弾性体から形成されている。弾性部は、略円筒状に成形された合成樹脂部材等であっても良く、その中心孔部に合成樹脂や金属等からなる図示しない芯部材が設けられていても良い。
【００４３】
弾性部の外周面を覆う表面部は、例えば、ゴム材料等の合成樹脂材料から形成されている。表面部を形成する部材は略板状に形成された合成樹脂部材等であっても良く、その略板状の合成樹脂部材を弾性部の外周面に巻き付けることによって表面部が形成されても良い。
【００４４】
表面部が設けられることにより、把手部材５を持ち易くする優れた弾性性能が得られると共に、把手部材５を把持する作業者の手の滑りを抑えて、理美容レザー１の安全性を高めることができる。また、表面部として好適な種類のゴム材料を使用することにより、把手部材５の強度を高めることもできる。
【００４５】
また、前述の弾性変形自在な弾性部に代えて、把手部材５は、チタン、アルミニウム等の金属材料、木材等から形成されても良い。例えば、チタンや木材等から形成された把手部材５は、軽くて強く、把持し易く、作業者が感じるカット作業の感覚も優れている。また、チタンや木材等から形成された把手部材５の外周面に、その外周面を覆う、例えば、ゴム材料等の合成樹脂材料からなる表面部が形成されても良い。
【００４６】
図１及び図２を参照して、挟着部材４の上部近傍には、挟着部材４の外面を覆う滑止部材９が貼付されている。滑止部材９は、例えば、ゴム材料からなるシート状の部材である。滑止部材９が設けられることにより、挟着部材４を親指と人差指または中指とで把持することが可能となり、ヘアカット作業が容易になる。また、滑止部材９によって理美容レザー１の滑りが抑えられ、作業者は、安全で疲れの少ないヘアカット作業を容易に行うことができる。
【００４７】
図１に示すように、把手部材５の内部には、理美容レザー１の情報を出力する電子回路２０が埋め込まれていても良い。電子回路２０は、例えば、理美容レザー１の振動数をカウントしてその情報を出力するデジタルカウンタ等であっても良い。また、電子回路２０は、例えば、マイクロチップを有し、どのような種類の理美容レザー１が、どのような振動数で、頭部のどの位置に、どのような向きに振動し、何時間使用されて、振動回数の合計は何回であるか等の各種情報を、出力することができる。
【００４８】
電子回路２０から出力された理美容レザー１の情報を受信して演算や記録、画像表示等に利用することにより、作業者は、それぞれのお客様に適した好適な施術を正確且つ高効率に行うことができる。例えば、従来、作業者が手書きで記録していた理美容レザー１の使用記録等についても、電子回路２０からの出力を利用して自動的に記録することができる。
【００４９】
図３は、理美容レザー１の概略構成を示す底面図である。図１及び図３を参照して、把手部材５には、カットする頭髪の位置を検出する位置検出手段としてのカメラ２１と、カットする頭髪の長さを検出する距離センサ２２と、電子回路２０に対する操作指示を入力するためのスイッチ２３と、を有する。把手部材５は、断面略円形状に形成されているため、その内部に電子回路２０、カメラ２１、距離センサ２２、スイッチ２３等を設けるスペースを確保することができる。
【００５０】
カメラ２１は、頭髪の位置を検出する位置検出手段であり、例えば、電荷結合素子を用いたＣＣＤカメラである。具体的には、カメラ２１は、把手部材５のレザー２が接続された端部近傍に設けられ、把手部材５の外周部下方に向かって、即ちレザー２の刃先３の下方向に向かって、画像を撮影可能に設けられている。これにより、カメラ２１は、レザー２の刃先３でカットしている頭髪近傍を撮影することができる。
【００５１】
カメラ２１は、撮影した画像データを送信可能に、電子回路２０に接続されている。電子回路２０は、カメラ２１から受信した画像データを、必要に応じて演算処理して、理美容レザー１の外部の図示しないコンピュータやディスプレイ等に出力することができる。
【００５２】
このような構成により、カメラ２１で撮影されたカット中の頭髪の画像をディスプレイに表示することができる。作業者は、このカット中の映像を見ながら、それぞれの位置における頭髪の状態を正確に把握することができ、それぞれのお客様に適した好適なカット作業を行うことができる。
【００５３】
また、カメラ２１からの画像データを受信した電子回路２０またはコンピュータ等は、その画像データを基にした演算により、カットしている頭髪の正確な位置情報を得ることができる。
【００５４】
そして、電子回路２０やコンピュータ等は、カメラ２１による画像情報や位置情報を記録することができる。これにより作業者は、記録された情報を利用して、それぞれのお客様に適した好適な施術を正確かつ高効率に行うことができる。
【００５５】
距離センサ２２は、カットする頭髪の長さを検出する手段である。距離センサ２２は、例えば、レーザ距離センサであり、把手部材５に設けられて、データ送信可能に電子回路２０に接続されている。
【００５６】
具体的には、距離センサ２２は、把手部材５のレザー２が接続された端部近傍の外周部下側近傍に設けられている。即ち、距離センサ２２は、レザー２の刃先３の下方向に向かって、その先にある対象物との距離を計測可能に設けられている。
【００５７】
上記の構成により、距離センサ２２は、レザー２の刃先３で頭髪をカットした状態において、刃先３から頭皮までの距離、即ちカットされた頭髪の長さを正確に検出することができる。このように距離センサ２２は、カットする頭髪の長さを正確に検出することができるので、この頭髪の長さデータを利用した正確な理美容施術が可能となる。
【００５８】
また、電子回路２０またはコンピュータ等では、距離センサ２２から受信したカットする頭髪の長さ情報を記録することができる。作業者は、その記録された情報を利用して、それぞれのお客様に適した好適なカットを正確に再現することができる。
【００５９】
カメラ２１で検出された頭髪の画像情報及び位置情報と、距離センサ２２で検出された頭髪の長さ情報と、を組み合わせて利用することにより、作業者は、それぞれのお客様に対応する好適な施術情報を得ることができる。よって、作業者は、これら情報を利用して、正確な施術を効率的に実行することができる。
【００６０】
なお、図示を省略するが、把手部材５の内部には、レザー２に対して上下方向または前後方向に振動を与える加振器が設けられていても良い。加振器は、例えば、小型の振動モータである。把手部材５は断面略円形状に形成されているため、その内部に加振器を設けるスペースを確保することができる。このように加振器が設けられることにより、カット作業が容易になる。
【００６１】
図１及び図２を参照して、挟着部材４は、把手部材５の前面の中心から下方に逸れた位置に接続されている。詳しくは、挟着部材４は、上辺近傍が把手部材５の中心軸近傍であり、レザー２の刃先３が露出した下辺近傍が把手部材５の外周面近傍で外周面よりも内側になるよう把手部材５に接続されている。
【００６２】
上記のようにレザー２の刃先３が把手部材５の外周面近傍になるよう挟着部材４が把手部材５の前面中心から半径方向にずれた位置に設けられることにより、理美容レザー１が持ち易くなり、理美容レザー１のカッティング性能を高めることができる。
【００６３】
図４は、理美容レザー１の把手部材５を分割した状態を示す側面図である。把手部材５は、一体的に形成され分割できない構成でも良いが、図４に示すように、把手部材５の大径部６と中径部７、及び中径部７と小径部８は、それぞれ分割可能に接続されていても良い。
【００６４】
具体的には、大径部６の後面には係合凹部１８が、中径部７の前面には係合凸部１５が形成されており、係合凸部１５が係合凹部１８に挿入されて係合することにより、大径部６と中径部７が接合される。
【００６５】
上記と同様に、中径部７の後面には係合凹部１９が、小径部８の前面には係合凸部１６が形成されており、係合凸部１６が係合凹部１９に挿入されて係合することにより、中径部７と小径部８が接合される。
【００６６】
係合凸部１５、１６と係合凹部１８、１９の結合方法は、例えば、係合凸部１５、１６に雄ねじ、係合凹部１８、１９に雌ねじが形成された、ねじ結合でも良いし、係合凸部１５、１６が係合凹部１８、１９に適度な締め代で嵌合する嵌め合い結合でも良い。
【００６７】
また、係合凸部１５、１６と係合凹部１８、１９を位置決めとして、例えば、大径部６、中径部７及び小径部８をマグネットによって接合する構成を採用することもできる。また、中径部７を利用せずに、大径部６と小径部８を接続して把手部材５を形成してヘアカット作業を行うことも可能である。
【００６８】
このように、大径部６、中径部７及び小径部８が分割自在に接合されることにより、作業者は、ヘアカット条件に応じて好適なサイズの大径部６、中径部７及び小径部８を選択して組み合わせることができる。よって、作業に適した形状の把手部材５により、作業者は、好適なカッティングを行うことができる。
【００６９】
なお、図示を省略するが、把手部材５の大径部６は、挟着部材４から取り外し可能であっても良い。即ち、作業者は、レザー２を挟持する挟着部材４の後端部を把手部材５の前面から挿入して把手部材５に固定することができると共に、レザー２及び挟着部材４を把手部材５から取り外すこともできる。よって、ヘアカット作業に応じて、好適なサイズのレザー２や把手部材５を選択して利用することができる。
【００７０】
次に、図５ないし図８を参照して、実施形態を変形した例として、理美容レザー１０１、２０１、３０１について詳細に説明する。なお、既に説明した実施形態と同一若しくは同様の作用、効果を奏する構成要素については、同一の符号を付し、その説明を省略する。
【００７１】
図５は、延長した状態の把手部材１０５を有する理美容レザー１０１を示す側面図であり、図６は、延長用の大径部１０６を示す側面図である。図５に示すように、理美容レザー１０１の把手部材１０５には、延長用の大径部１０６が取り付けられても良い。
【００７２】
図６に示すように、延長用の大径部１０６には、前面に係合凸部１１７が、後面に係合凹部１１８が形成されている。図５に示すように、大径部１０６の係合凸部１１７は、大径部６の後面の係合凹部１８に係合し、これにより、大径部６の後面に大径部１０６が固定される。大径部１０６の係合凹部１１８には、中径部７の前面の係合凸部１５が挿入され、大径部１０６の後面に中径部７が固定される。
【００７３】
このように、把手部材１０５に大径部１０６が取り付けられることにより、把手部材１０５が長くなり、把手部材１０５の持ち易さが変わる。そのため、作業を行う者の手の大きさや、ヘアカット方法に応じて、大径部１０６を取り付けるまたは取り外すことにより、把手部材１０５を好適な長さに調整して、把手部材１０５を持ち易い形状にすることができる。
【００７４】
なお、図５には、前述のとおり、大径部６に大径部１０６を１つ追加する例を示したが、大径部６の後方に２つ以上の大径部１０６を追加接続しても良い。また、類似の構成により、中径部７を２つ以上接続して利用することも可能である。作業者は、ヘアカット作業に応じて把手部材１０５を好適な形状に調整することができる。
【００７５】
図７は、曲折した状態の把手部材２０５を有する理美容レザー２０１を示す側面図である。図７に示すように、把手部材２０５の小径部２０８は、後端部１０側が半径方向に曲折されていても良い。例えば、小径部２０８は、後端部１０側が下方に、即ちレザー２の刃先３方向に、曲折されていても良い。
【００７６】
小径部２０８が曲折されることにより、把手部材５を持ち易く、把持する手から外れ難いものとして、理美容レザー２０１の安全性を高めることができる。これにより、小径部２０８近傍を中心として、レザー２を上下方向に回動させてヘアカット作業を行うことができる。
【００７７】
なお、小径部２０８は、曲折した所定の固定形状に形成されていても良いし、理美容レザー２０１を使用する作業者が自由に曲げることができるよう曲折自在であっても良い。小径部２０８が曲折自在であることにより、カットする頭髪の位置やヘアカット方法に応じて小径部２０８の曲げ形状を調整して好適なヘアカット性能が得られる。
【００７８】
図８は、本実施形態の他の例である理美容レザー３０１の概略構成を示す側面図である。図８に示すように、理美容レザー３０１は、略環状の指環３１０と、略曲折棒状の指掛部３１１と、を有する。
【００７９】
指環３１０及び指掛部３１１は、把手部材３０５のレザー２が接続されていない端部側に設けられている。指環３１０は、小指や薬指等を挿入して理美容レザー３０１を支持する部分であり、指掛部３１１は、小指や薬指等を掛けて理美容レザー３０１を支持する部分である。
【００８０】
レザー２を挟持する挟着部材３０４は、後方、即ち把手部材３０５側、の端部が把手部材３０５を貫通して延在し、指環３１０及び指掛部３１１に連続するよう形成されていても良い。即ち、挟着部材３０４から指環３１０及び指掛部３１１まで一体的に形成されていても良い。また、指環３１０及び指掛部３１１に連続して一体的に形成された挟着部材３０４は、把手部材３０５に対して挿脱自在に取り付けられても良い。
【００８１】
把手部材３０５は、前述の把手部材５（図２参照）と同様に、断面略円形状に形成されて略円柱状または略円錐台状に延在している。なお、把手部材３０５は、図１に示す把手部材５と同様に、大径部６、中径部７及び小径部８を有しても良い。
【００８２】
図８に示すように、略円柱状に形成された把手部材３０５に対して、指環３１０及び指掛部３１１に連続して一体的に形成されている挟着部材３０４を後方から前方に向かって挿入することができるよう構成されることにより、理美容レザー３０１の製造が容易になるという利点がある。
【００８３】
以上説明の如く、本実施形態に係る理美容レザー１、１０１、２０１、３０１によれば、大変持ち易く、作業者は、ヘアカット作業を安全、正確且つ効率的に行うことができる。また、理美容レザー１、１０１、２０１、３０１は、作業者の手への負担が少なく、小さい毛束をカットする作業に特に適している。理美容レザー１、１０１、２０１、３０１によれば、頭髪を濡らすことなく、ドライカットを容易に行うことができる。
【００８４】
また、本実施形態に係る理美容レザー１、１０１、２０１、３０１は大変持ち易いので、作業者は、理美容はさみを用いたフリーハンドカットのように、一方の手で理美容レザー１、１０１、２０１、３０１を持ち、他方の手で頭髪を摘むことなく、一方の手の動きのみで頭髪をカットすることができる。
【００８５】
なお、本発明は、上記実施形態に限定されるものではなく、その他、本発明の要旨を逸脱しない範囲で、種々の変更実施が可能である。
【符号の説明】
【００８６】
１、１０１、２０１、３０１   理美容レザー
２      レザー
３      刃先
４      挟着部材
５      把手部材
６      大径部
７      中径部
８      小径部
９      滑止部材
１０    後端部
１２    段差部
１３    段差部
１５    係合凸部
１６    係合凸部
１８    係合凹部
１９    係合凹部
２０    電子回路
２１    カメラ
２２    距離センサ
２３    スイッチ
１０５  把手部材
１０６  大径部
１１７  係合凸部
１１８  係合凹部
２０５  把手部材
２０８  小径部
３０４  挟着部材
３０５  把手部材
３１０  指環
３１１  指掛部
【図１】
2020054468.tif 000003
【図２】
2020054468.tif 000004
【図３】
2020054468.tif 000005
【図４】
2020054468.tif 000006
【図５】
2020054468.tif 000007
【図６】
2020054468.tif 000008
【図７】
2020054468.tif 000009
【図８】
2020054468.tif 000010
【国際調査報告】
2020054468.tif 000011
2020054468.tif 000012
2020054468.tif 000013
2020054468.tif 000014